(57)【要約】      （修正有）【課題】タッチパネルが伝送過程に大量の帯域及び電力を消費し、そして記憶装置が書込みの前後軌跡過程のすべてを合わせて記録できる連続データ伝送方法及びデータ伝送システムを提供する。【解決手段】データ伝送システムにおいて、連続データ伝送方法２００は、タッチコントロール装置上の連続した軌跡を検知するステップＳ２１０、検知した時間に応じて、連続した軌跡に対応するタッチデータを生成するステップＳ２２０、送信側は連続した軌跡のタッチデータに基づいて、始点フォーマットデータ及び第１の接線フォーマットデータを生成するステップＳ２３０、Ｓ２４０、送信側は始点フォーマットデータ及び第１接線フォーマットデータを受信側に伝送するステップＳ２５０、Ｓ２６０から構成される。【選択図】図４
2019160296.tif 000002
【特許請求の範囲】
【請求項１】
タッチコントロール装置を備える送信側に用いる連続データ伝送方法であって、前記連続データ伝送方法は、
前記タッチコントロール装置上の連続した軌跡を検知することと、
検知した時間に応じて、スタート座標データと、検知した時間に応じて配列した第１の接続点座標及び複数個の第２の接続点座標とを含み前記連続した軌跡に対応するタッチデータを生成することと、
前記連続した軌跡のタッチデータに基づいて、第１のスタートラベルと、水平座標値及び垂直座標値を含むスタート座標情報と、第１のエンドラベルとを含む始点フォーマットデータを生成することと、
前記連続した軌跡のタッチデータに基づいて、第２のスタートラベルと、複数個のずれ情報と、前記複数個のずれ情報の総数量とを含む第１の接線フォーマットデータを生成することと、を含み、
前記複数個のずれ情報は、前記第１の接続点座標に対応しており、前記第１の接続点座標の前記スタート座標データに対する第１の水平座標ずれ値と第１の垂直座標ずれ値とを含む第１のずれ情報と、前記複数個の第２の接続点座標に対応しており、各前記第２の接続点座標の一つ前の接続点座標に対する第２の水平座標ずれ値と第２の垂直座標ずれ値とを含む複数個の第２のずれ情報と、を含み、
前記始点フォーマットデータ及び前記第１の接線フォーマットデータを受信側に伝送することと、を含む、ことを特徴とする連続データ伝送方法。
【請求項２】
前記始点フォーマットデータは更に圧力値を含み、前記各々のずれ情報は一つ前の圧力値に対応する圧力値ずれ値を更に含む、ことを特徴とする請求項１に記載の方法。
【請求項３】
各々のずれ情報の総ビット数は前記スタート座標データの総ビット数未満である、ことを特徴とする請求項１に記載の方法。
【請求項４】
前記第１のスタートラベルは、第１のスタートバイトデータと、前記第１のスタートバイトデータと補完する第１の補完バイトデータとを含み、
前記第２のスタートラベルは、第２のスタートバイトデータと、前記第２のスタートバイトデータと補完する第２の補完バイトデータとを含み、
前記第１のスタートバイトデータは前記第２のスタートバイトデータと異なる、ことを特徴とする請求項１に記載の方法。
【請求項５】
前記始点フォーマットデータ及び前記第１の接線フォーマットデータを前記受信側に伝送することは無線通信を通じて伝送されるものである、ことを特徴とする請求項１に記載の方法。
【請求項６】
前記連続した軌跡に関するタイマがタイムアップしたとき、又は前記連続した軌跡の持続が所定経路長さを超えたとき、前記連続した軌跡のタッチデータに基づいて第２の接線フォーマットデータを生成することを更に含む、ことを特徴とする請求項１に記載の方法。
【請求項７】
前記第１の接線フォーマットデータは第２のエンドラベルを更に含む、ことを特徴とする請求項１に記載の方法。
【請求項８】
受信側と、
連続した軌跡を検知するためのタッチコントロール装置を備えており、検知した時間に応じて、スタート座標データと、検知した時間に応じて配列した第１の接続点座標及び複数個の第２の接続点座標とを含み連続した軌跡に対応するタッチデータを生成する送信側と、を備えており、
前記送信側は、前記連続した軌跡のタッチデータに基づいて、始点フォーマットデータ及び第１の接線フォーマットデータを生成し、前記始点フォーマットデータ及び前記第１の接線フォーマットデータを前記受信側に伝送するのに用いられ、
前記始点フォーマットデータは、第１のスタートラベルと、水平座標値及び垂直座標値を含むスタート座標情報と、第１のエンドラベルとを含み、
前記第１の接線フォーマットデータは、第２のスタートラベルと、複数個のずれ情報と、前記複数個のずれ情報の総数量とを含み、
前記複数個のずれ情報は、前記第１の接続点座標に対応しており、前記第１の接続点座標の前記スタート座標データに対する第１の水平座標ずれ値と第１の垂直座標ずれ値とを含む第１のずれ情報と、前記複数個の第２の接続点座標に対応しており、各前記第２の接続点座標の一つ前の接続点座標に対する第２の水平座標ずれ値と第２の垂直座標ずれ値とを含む複数個の第２のずれ情報と、を含む、ことを特徴とするデータ伝送システム。
【請求項９】
前記始点フォーマットデータは更に圧力値を含み、前記各々のずれ情報は一つ前の圧力値に対応する圧力値ずれ値を更に含む、ことを特徴とする請求項８に記載のデータ伝送システム。
【請求項１０】
各々のずれ情報の総ビット数は前記スタート座標データの総ビット数未満である、ことを特徴とする請求項８に記載のデータ伝送システム。
【請求項１１】
前記第１のスタートラベルは、第１のスタートバイトデータと、前記第１のスタートバイトデータと補完する第１の補完バイトデータとを含み、
前記第２のスタートラベルは、第２のスタートバイトデータと、前記第２のスタートバイトデータと補完する第２の補完バイトデータとを含み、
前記第１のスタートバイトデータは前記第２のスタートバイトデータと異なる、ことを特徴とする請求項８に記載のデータ伝送システム。
【請求項１２】
前記送信側は、前記始点フォーマットデータ及び前記第１の接線フォーマットデータを無線通信を通じて前記受信側に伝送する、ことを特徴とする請求項８に記載のデータ伝送システム。
【請求項１３】
前記連続した軌跡に関するタイマがタイムアップしたとき、又は前記連続した軌跡の持続が所定経路長さを超えたとき、前記送信側は前記連続した軌跡のタッチデータに基づいて第２の接線フォーマットデータを生成することを更に含む、ことを特徴とする請求項８に記載のデータ伝送システム。
【請求項１４】
前記第１の接線フォーマットデータは第２のエンドラベルを更に含む、ことを特徴とする請求項８に記載のデータ伝送システム。
【発明の詳細な説明】
【技術分野】
【０００１】
本発明は連続データ伝送方法及びデータ伝送システムであって、特に伝送データ量を圧縮することができる連続データ伝送方法及びデータ伝送システムに関する。
【背景技術】
【０００２】
電子科学技術の進歩に伴って、各種文字及び画像を電子化して保存することが時代のトレンドとなっている。例えば、使用者は、スタイラスペンによりタッチパネル上に手書きの方式でパターンを描画する、又はメモを取るとともに、これを電子ファイルに変換して保存することができる。これにより、描画したパターンやメモの保存ができるだけではなく、共有及び後続の編集もできるようになる。従来技術において、タッチパネルは、スタイラスペンのタッチパネル上のタッチ座標及び対応する筆圧情報を記憶装置に伝送することで、後続の処理を行うようになっている。もし、使用者がタッチパネル上で記録したコンテンツが複雑である場合には、タッチパネルは、大量の座標情報及び対応する筆圧情報を伝送することになり、伝送過程にて大量の帯域及び電力を消費してしまう。また、データ量が膨大であることから、記憶装置も処理した後でなければ最終的な完成品を記憶することができず、書込みの前後軌跡過程のすべてを合わせて記録することはできない。
【発明の概要】
【発明が解決しようとする課題】
【０００３】
そこで本発明は、タッチパネルが伝送過程に大量の帯域及び電力を消費し、そして記憶装置が書込みの前後軌跡過程のすべてを合わせて記録できないという課題を解決するものである。
【課題を解決するための手段】
【０００４】
本発明の一実施例では、タッチコントロール装置を備える送信側に用いる連続データ伝送方法を提供しており、そして連続データ伝送方法は、タッチコントロール装置上の連続した軌跡を検知し、検知した時間に応じて、スタート座標データと、検知した時間に応じて配列した第１の接続点座標及び複数個の第２の接続点座標とを含み連続した軌跡に対応するタッチデータを生成し、連続した軌跡のタッチデータに基づいて、第１のスタートラベルと、水平座標値及び垂直座標値を含むスタート座標情報と、第１のエンドラベルとを含む始点フォーマットデータを生成し、連続した軌跡のタッチデータに基づいて、第２のスタートラベルと、複数個のずれ情報と、複数個のずれ情報の総数量とを含む第１の接線フォーマットデータを生成し、始点フォーマットデータ及び第１の接線フォーマットデータを受信側に伝送する。複数個のずれ情報は、第１の接続点座標に対応する第１のずれ情報と、複数個の第２の接続点座標に対応する複数個の第２のずれ情報を含む。第１のずれ情報は、第１の接続点座標のスタート座標データに対する第１の水平座標ずれ値と第１の垂直座標ずれ値とを含む。各第２のずれ情報は、各第２の接続点座標の一つ前の接続点座標に対する第２の水平座標ずれ値と第２の垂直座標ずれ値とを含む。
【０００５】
本発明の他の実施例では、受信側と送信側とを備えるデータ伝送システムを提供する。
【０００６】
送信側は連続した軌跡を検知するためのタッチコントロール装置を備えており、検知した時間に応じて、スタート座標データと、検知した時間に応じて配列した第１の接続点座標及び複数個の第２の接続点座標とを含み連続した軌跡に対応するタッチデータを生成する。送信側は連続した軌跡のタッチデータに基づいて、始点フォーマットデータ及び第１の接線フォーマットデータを生成して、始点フォーマットデータ及び第１の接線フォーマットデータを受信側に伝送する。
【０００７】
始点フォーマットデータは、第１のスタートラベルと、水平座標値及び垂直座標値を含むスタート座標情報と、第１のエンドラベルとを含む。第１の接線フォーマットデータは、第２のスタートラベルと、複数個のずれ情報と、複数個のずれ情報の総数量とを含む。複数個のずれ情報は、第１の接続点座標に対応する第１のずれ情報と、複数個の第２の接続点座標に対応する複数個の第２のずれ情報を含む。第１のずれ情報は、第１の接続点座標のスタート座標データに対する第１の水平座標ずれ値と第１の垂直座標ずれ値とを含む。各第２のずれ情報は、各第２の接続点座標の一つ前の接続点座標に対する第２の水平座標ずれ値と第２の垂直座標ずれ値とを含む。
【発明の効果】
【０００８】
本発明では、連続した二つのタッチ点の間の座標差値を伝送するように変更して、完全なタッチ座標を伝送する必要なく、タッチパネル上の全ページの連続した軌跡を記憶することができ、伝送及び記憶しなければならないデータ量を減らし、後続の処理及び応用に利することができる。
【図面の簡単な説明】
【０００９】
【図１】本発明の一実施例におけるデータ伝送システムの概略図である。
【図２】本発明の一実施例の始点フォーマットデータの概略図である。
【図３】本発明の一実施例の第１の接線フォーマットデータの概略図である。
【図４】本発明の一実施例の連続データ伝送方法のフローチャートである。
【発明を実施するための形態】
【００１０】
［実施例］
図１は、本発明の一実施例におけるデータ伝送システム１００の概略図である。データ伝送システム１００は、受信側１１０と、送信側１２０とを備える。受信側１１０は、例えば、コンピュータシステム及び携帯型装置とすることができる。そして、送信側１２０は、例えば、タッチパネルとすることができ、しかも、タッチコントロール装置１２２を備えることができる。
【００１１】
使用者がスタイラスペン又は指でタッチパネル上に書込みをしたときに、タッチコントロール装置１２２は、スタイラスペン又は指のタッチパネル上のタッチイベントを検知するとともに、対応するタッチデータを生成する。一般的に言えば、使用者の書込み内容の多くは、数多くの連続したタッチ軌跡により構成される。従来技術では、タッチコントロール装置１２２は、これら連続したタッチ軌跡に基づいて生成された各々の点座標が記憶装置に伝送されることで、処理及び記憶される。しかし、実際には、連続したタッチ軌跡において、隣接する二つのタッチ点の間の座標の相違は通常大きくないため、本発明の送信側１２０では、連続した二つのタッチ点の間の座標差値を伝送するように変更して、完全なタッチ座標を毎回伝送する必要がなくなることで、伝送しなければならないデータ量を大幅に減らし、同時に後続の処理及び応用に利することができる。
【００１２】
つまり、タッチコントロール装置１２２が連続した軌跡を検知したときに、タッチコントロール装置１２２は、検知した時間に応じて連続した軌跡に対応するタッチデータを生成する。そして、生成された連続した軌跡のタッチデータには、スタート座標データと、検知した時間に応じて、配列した第１の接続点座標及び複数個の第２の接続点座標とが含まれる。送信側１２０は、連続した軌跡のタッチデータに基づいて、始点フォーマットデータＰＤ及び第１の接線フォーマットデータＳＤ１を生成して、続いて、その始点フォーマットデータＰＤ及び第１の接線フォーマットデータＳＤ１を受信側１１０に伝送する。本発明の一部実施例において、送信側１２０は、無線通信を通じて送信することができ、例えばブルートゥース（登録商標）又はＷｉ-Ｆｉの技術で、始点フォーマットデータＰＤ及び第１の接線フォーマットデータＳＤ１を受信側１１０に送信する。
【００１３】
そして図２は、本発明の一実施例の始点フォーマットデータＰＤの概略図であり、そして図３は、本発明の一実施例の第１の接線フォーマットデータＳＤ１の概略図である。始点フォーマットデータＰＤは、主に、連続した軌跡の始点データを記録するのに用いられ、図２中における始点フォーマットデータＰＤは、第１のスタートラベルＰＤＳと、スタート座標データＰＤＣと、第１のエンドラベルＰＤＥとを含む。
【００１４】
第１のスタートラベルＰＤＳは、現在伝送するデータタイプを表示し、受信側１１０に伝送されるのに用いることができる。本発明の一部の実施例において、第１のスタートラベルＰＤＳは、第１のスタートバイトデータＰＤＳ０［７：０］と、第１のスタートバイトデータＰＤＳ０［７：０］と補完する第１の補完バイトデータＰＤＳ１［７：０］とを含むことができる。一組の補完するスタートバイトデータは、現在伝送するデータタイプを受信側１１０に正確に識別させることができる以外に、データの正確な受信側１１０への伝送を更に確保することができる。しかし、本発明では第１のスタートラベルＰＤＳが一組の補完するスタートバイトデータを含むことに限定されず、本発明のその他の実施例では、第１のスタートラベルＰＤＳは、一つのスタートバイトデータＰＤＳ０［７：０］のみを含んでもよい。
【００１５】
スタート座標データＰＤＣは、連続した軌跡の始点の水平座標値ＰＤＣＸ［１５：０］と、垂直座標値ＰＤＣＹ［１５：０］とを含むことができる。図２の実施例において、水平座標値ＰＤＣＸ［１５：０］及び垂直座標値ＰＤＣＹ［１５：０］は、いずれも１６ビットの数値であるが、本発明はこれに限定されない。
【００１６】
第１のエンドラベルＰＤＥは、始点フォーマットデータＰＤの伝送が間もなく完了することを表示し、受信側１１０に伝送されるのに用いることができる。本発明の一部の実施例において、第１のエンドラベルＰＤＥは、８ビットのデータを含むことができるとともに、例えば、システム所定値又はチェックサム（ｃｈｅｃｋ ｓｕｍ）とすることができる。
【００１７】
図３において、第１の接線フォーマットデータＳＤ１は、第２のスタートラベルＳＤＳと、複数個のずれ情報ＳＤＯと、ずれ情報の総数量ＳＤＣと、第２のエンドラベルＳＤＥとを含むことができる。
【００１８】
第２のスタートラベルＳＤＳは、現在伝送するデータタイプを表示し、受信側１１０に伝送されるのに用いることができる。本発明の一部の実施例において、第２のスタートラベルＳＤＳは、第２のスタートバイトデータＳＤＳ０［７：０］と、第２のスタートバイトデータＳＤＳ０［７：０］と補完する第２の補完バイトデータＳＤＳ１［７：０］とを含むことができる。一組の補完するスタートバイトデータは、現在伝送するデータタイプを受信側１１０に正確に識別させることができる以外に、データの正確な受信側１１０への伝送を更に確保することができる。しかし、本発明では、第２のスタートラベルＳＤＳが一組の補完するスタートバイトを含むことに限定されず、本発明のその他の実施例では、第２のスタートラベルＳＤＳは、一つのスタートバイトデータＳＤＳ０［７：０］のみを含んでもよい。
【００１９】
また、本発明の一部の実施例において、受信側１１０が始点フォーマットデータＰＤ及び第１の接線フォーマットデータＳＤ１を区別しやすくするために、第１のスタートバイトデータＰＤＳ０［７：０］は、第２のスタートバイトデータＳＤＳ０［７：０］と異ならせることができる。
【００２０】
総数量ＳＤＣは、あらかじめ、受信側１１０が引き続き間もなく受信するずれ情報ＳＤＯの総数量を予告し、例えば受信側１１０が１０００個のずれ情報ＳＤＯを受信することを予告することで、ずれ情報ＳＤＯが第１の接線フォーマットデータＳＤ１を完全に受信できることを保証している。図３の実施例において、総数量ＳＤＣは、例えば８ビットの情報を含むことができる。各々のずれ情報ＳＤＯは、一つ前の水平座標値に対する水平座標ずれ値ＳＤＯＸ［７：０］と、一つ前の垂直座標値に対する垂直座標ずれ値ＳＤＯＹ［７：０］とを含むことができる。言い換えれば、ずれ情報ＳＤＯは、一つ前のタッチ点との座標ずれ値を記憶することになる。例えば、これらずれ情報ＳＤＯ中には、つまり、第１の接続点座標に対応する第１のずれ情報と、複数個の第２の接続点座標に対応する複数個の第２のずれ情報を含み、第１のずれ情報は、第１の接続点座標のスタート座標データに対する第１の水平座標ずれ値と第１の垂直座標ずれ値とを含むことができ、そして、各々の第２のずれ情報は、各々の第２の接続点座標の一つ前の接続点座標に対する第２の水平座標ずれ値と第２の垂直座標ずれ値とを含むことができる。
【００２１】
例示するならば、もし連続した軌跡の始点座標は（１００，１００）であり、そして始点に隣接する次のタッチ点の座標、つまり第１の接続点座標は（１０２，１０１）であり、第１のずれ情報は（２，１）で表すことができる。似たように、もし更に次のタッチ点の座標、つまり第１の接続点座標に連続する第２の接続点座標は（１０４，１０３）であり、その第２のずれ情報は、座標（１０２，１０１）である第１の接続点に対するずれ値であり、（２，２）で表してもよい。
【００２２】
ずれ情報ＳＤＯが記録したものは、座標の間の相対的なずれ情報であり、しかも一般的には、短時間内で連続して検知した二つの点の距離は通常大きくないため、ずれ情報ＳＤＯの総ビット数（例えば１６個ビット）は、スタート座標データＰＤＣの総ビット数未満となるため（例えば３２個ビット）、各々の点のタッチ座標を伝送するのではなく、ずれ情報ＳＤＯを伝送することで、必要な伝送及び記憶する必要のある情報量を大幅に減少させることができる。
【００２３】
また、本発明の一部の実施例において、水平座標ずれ値ＳＤＯＸ［７：０］は、その中の一つのビットが、ずれの方向を表すことができ、例えば０は左方向、１は右方向となるが、これに限定されない。似たように、垂直座標ずれ値ＳＤＯＹ［７：０］は、その中の一つのビットが、ずれの方向を表すことができ、例えば０は下方向、１は上方向となるが、これに限定されない。
【００２４】
図２及び図３の実施例において、始点フォーマットデータＰＤは、圧力値ＰＤＰ、つまり使用者がタッチパネルをタッチした圧力の大きさを含むことができ、そして、各々のずれ情報ＳＤＯは、一つ前の圧力値に対する圧力ずれ値ＳＤＰを更に含むことができる。つまり、始点フォーマットデータＰＤ及び第１の接線フォーマットデータＳＤ１は、軌跡の深さ及び力の大きさを併せて記録することで、例えば線の太さを表現するなど、後続の応用に供される。図２及び図３の実施例において、圧力値ＰＤＰは、例えば１６ビットのデータとすることができ、そして、圧力ずれ値ＳＤＰは、例えば８ビットのデータとすることができる。
【００２５】
更に、本発明の一部の実施例において、連続した軌跡が始まったときに、送信側は連続した軌跡に関するタイマを起動して、連続した軌跡の持続時間を記録することができる。この実施例において、連続した軌跡に関するタイマがタイムアップ（つまり、連続した軌跡の持続時間が所定時間を超える）したとき、又は連続した軌跡が所定の経路長さを超えたときに、送信側１２０は、連続した軌跡を複数個の接線フォーマットデータを分割するとともに、順次、それぞれを受信側１１０に伝送するものである。例えば図１にて、送信側１２０は、連続した軌跡の始点フォーマットデータＰＤを送出した後に、更に、連続した軌跡に基づいて、第１の接線フォーマットデータＳＤ１及び第２の接線フォーマットデータＳＤ２を順次生成するとともに伝送することができる。言い換えるならば、送信側１２０は、各々の接線フォーマットデータにおけるずれ情報の総数量が一定値を超えないように設定されていることで、データ伝送の柔軟性を増加させることができる。例示するならば、連続した軌跡の持続時間が長すぎるときに、送信側１２０は、所定数量のずれ情報を生成する度に、まず所定数量のずれ情報を接線フォーマットデータとしてパケット化するとともに、連続した軌跡が完全に終了して一回で伝送するのを待つことなく、受信側１１０に伝送するので、伝送の柔軟性及び効率を向上することができる。
【００２６】
データ伝送システム１００は、連続した軌跡のタッチデータを伝送するときに、連続した軌跡上の各々の点の座標を伝送する必要はなく、ずれ情報を伝送するように変更することができる。そのため、伝送するデータ量を大幅に低減することができ、受信側１１０でも、タッチパネル上の全ページの連続した軌跡を記憶することで、例えば動画の方式で描画又は書込みの過程を表現するというように、後続の応用に利することができる。
【００２７】
図４は、本発明の一実施例の連続データ伝送方法２００のフローチャートである。連続データ伝送方法２００は、データ伝送システム１００の送信側１２０に応用することができるうえ、以下に示すステップＳ２１０〜Ｓ２６０を含むことができるが、図４に示す順序に限定されない。
Ｓ２１０：    連続した軌跡を検知する。
Ｓ２２０：    検知した時間に応じて、連続した軌跡に対応するタッチデータを生成する。
Ｓ２３０：    連続した軌跡のタッチデータに基づいて、始点フォーマットデータＰＤを生成する。
Ｓ２４０：    連続した軌跡のタッチデータに基づいて、第１の接線フォーマットデータＳＤ１を生成する。
Ｓ２５０：    始点フォーマットデータＰＤを受信側１１０に伝送する。
Ｓ２６０：    第１の接線フォーマットデータＳＤ１を受信側１１０に伝送する。
【００２８】
タッチコントロール装置１２２は、ステップＳ２１０にて、使用者がタッチパネル上でタッチした連続した軌跡を検知するとともに、ステップＳ２２０にて、検知した時間に応じて、連続した軌跡に対応するタッチデータを生成することができる。続いて、ステップＳ２３０及びＳ２４０にて、送信側１２０は、連続した軌跡のタッチデータに基づいて、始点フォーマットデータＰＤ及び第１の接線フォーマットデータＳＤ１を生成することができる。始点フォーマットデータＰＤ及び第１の接線フォーマットデータＳＤ１は、例えば図２及び図３に示す内容とすることができる。続いて、ステップＳ２５０及びＳ２６０にて、送信側１２０は、始点フォーマットデータＰＤ及び第１の接線フォーマットデータＳＤ１を受信側１１０に伝送することができる。
【００２９】
本発明の一部の実施例において、送信側１２０は、無線伝送プロトコル、例えばブルートゥース又はＷｉ-Ｆｉ等の技術で、データを受信側１１０に送信する。送信側１２０は、第１の接線フォーマットデータＳＤ１を生成した後に、複数個のずれ情報を一回で受信側１１０に伝送するので、送信側１２０が無線通信を長時間起動することで、不必要な電力の消費を回避することができる。
【００３０】
また、本発明の一部の実施例において、送信側１２０は、各々の接線フォーマットデータにおけるずれ情報の総数量が一定値を超えないように設定することができるため、連続した軌跡の持続が所定時間を超えるか、又は所定経路長さを超えたとき、送信側は連続した軌跡のタッチデータに基づいてより多くの接線フォーマットデータを生成するとともに、連続した軌跡のタッチデータを分割して受信側１１０に伝送することができる。このように、データ伝送の過程はより柔軟になり、ひいては効率を向上することができる。
【００３１】
上記をまとめるに、本発明の実施例で提供するデータ伝送システム及び連続データ伝送方法は、連続した軌跡のタッチデータを伝送するとき、連続した軌跡上の各々の点の座標を伝送する必要はなく、ずれ情報を伝送するように変更することができるため、伝送するデータ量を大幅に低減することができ、受信側でもタッチパネル上の全ページの連続した軌跡を記憶することで、後続の応用に利することができる。
【００３２】
上記したものは、本発明の好ましい実施例であって、本発明の特許請求の範囲により行った等価の変化及び付加は、いずれも本発明のカバー範囲に含まれる。
【産業上の利用可能性】
【００３３】
本発明で提供するデータ伝送システム及び送信側に用いる連続データ伝送方法では、連続した軌跡のタッチデータを伝送するとき、連続した軌跡上の各々の点の座標を伝送するものに代えてずれ情報を伝送することで、伝送するデータ量を大幅に低減して、受信側ではタッチパネル上の全ページの連続した軌跡を記憶することで、後続の応用に利することができる。
【符号の説明】
【００３４】
１００      データ伝送システム
１１０      受信側
１２０      送信側
１２２      タッチコントロール装置
ＰＤ        始点フォーマットデータ          
ＳＤ１      第１の接線フォーマットデータ
ＳＤ２      第２の接線フォーマットデータ
ＰＤＳ      第１のスタートラベル
ＰＤＳ０    第１のスタートバイトデータ
ＰＤＳ１    第１の補完バイトデータ
ＰＤＣ      スタート座標データ
ＰＤＣＸ    始点の水平座標値
ＰＤＣＹ    始点の垂直座標値
ＰＤＰ      圧力値
ＰＤＥ      第１のエンドラベル
ＳＤＳ      第２のスタートラベル
ＳＤＳ０    第２のスタートバイトデータ
ＳＤＳ１    第２の補完バイトデータ
ＳＤＣ      総数量
ＳＤＯ      ずれ情報
ＳＤＯＸ    水平座標ずれ値
ＳＤＯＹ    垂直座標ずれ値
ＳＤＰ      圧力ずれ値
ＳＤＥ      第２のエンドラベル
２００      連続データ伝送方法
Ｓ２１０ないしＳ２６０      ステップ
【図１】
2019160296.tif 000003
【図２】
2019160296.tif 000004
【図３】
2019160296.tif 000005
【図４】
2019160296.tif 000006